(57)【特許請求の範囲】
【請求項１】
センサなどの入力部と、自己のアドレスと受信信号に含まれるアドレスとの比較演算処理等を行うＣＰＵと、アドレスの比較結果に応じた処理内容を変更するメンテナンススイッチと、前記ＣＰＵからの信号に応じて照明器具の点消灯及び、照度を制御する照明制御部と、アドレス等を記憶する記憶部と、他照明制御装置と通信を行う通信部と、から構成される照明制御装置と、それらの間を接続する伝送路及び複数の照明器具とで構成される照明制御システムであって、照明制御装置は、入力を受けた照明制御装置のアドレスと自らのアドレスを比較した結果を予め設定された調光規則に適用して自らに接続された照明器具の照度を決定することを特徴とする照明制御システム。
【請求項２】
前記照明制御装置は、調光規則を変化させることで、多様な照明環境を実現することを可能とする動作モード切り換え手段を有することを特徴とする請求項１記載の照明制御システム。
【発明の詳細な説明】
【０００１】
【発明の属する技術分野】
本発明は、照明制御システムにおいて、特にセンサ等の入力部を持つ照明制御装置により負荷を点灯・消灯させる照明制御システム関する。
【０００２】
【従来の技術】
従来より快適な照明環境創出のために、各照明制御装置にアドレスを持たせ、スイッチと各照明制御装置の動作パターンとの対応関係を調光パターンとして設定するという方法が採られてきた。またその調光パターンの設定に際しては、設定者が運用時の調光パターンを想定し、そのパターンに対応する照明制御装置をアドレスによって指定していた。
【０００３】
【発明が解決しようとする課題】
ところが、上述した照明制御装置の持つアドレスには位置情報が含まれておらず、パターンの設定においてはアドレスによる指定しか行えなかったため、位置関係を用いた単純な調光パターンにおいても、設定のための作業工数が必要となり、更に、調光パターンとして、アドレスとは別途にデータを記憶しておく必要があった。また、この調光パターンデータは各パターン毎に必要である為に、データ量が大きくなると同時に、パターンの設定漏れの恐れもあった。
【０００４】
本発明は、上記問題を鑑み成されたものであり、その目的とするところは、少ない情報通信量と簡易な機器構成で位置関係に応じた調光が可能となるとともに、少ない設定工数で多彩な照明環境を実現することが可能となる優れた照明制御システムを提供することにある。
【０００５】
【課題を解決するための手段】
請求項１記載の発明にあっては、センサなどの入力部と、自己のアドレスと受信信号に含まれるアドレスとの比較演算処理等を行うＣＰＵと、アドレスの比較結果に応じた処理内容を変更するメンテナンススイッチと、前記ＣＰＵからの信号に応じて照明器具の点消灯及び、照度を制御する照明制御部と、アドレス等を記憶する記憶部と、他照明制御装置と通信を行う通信部と、から構成される照明制御装置と、それらの間を接続する伝送路及び複数の照明器具とで構成される照明制御システムであって、照明制御装置は、入力を受けた照明制御装置のアドレスと自らのアドレスを比較した結果を予め設定された調光規則に適用して自らに接続された照明器具の照度を決定することを特徴とするものである。
【０００６】
請求項２記載の発明にあっては、請求項１記載の発明において、前記照明制御装置は、調光規則を変化させることで、多様な照明環境を実現することを可能とする動作モード切り換え手段を有することを特徴とするものである。
【０００７】
【発明の実施の形態】
以下本発明に係わる照明制御システムの一実施の形態について、図１乃至図１２を用いて、詳細に説明する。
【０００８】
本実施の形態におけるシステムの構成を以下に示す。
図１は、照明制御装置２〜５と制御対象である照明器具６〜９が独立している場合であるが、図２に示すように照明制御装置２〜５と照明器具６〜９が一体となった器具を用いて構成してもよい。さらに、図３のように、情報管理装置１を持たず、各照明制御装置間で協調して調光を行うシステムとして構成してもよい。
【０００９】
図４に示すように、照明制御装置２は、センサなどの入力部２−１と、後述する各処理を行うＣＰＵ２−２と、アドレスの比較結果に応じた処理内容を変更するメンテナンススイッチ２−３と、ＣＰＵ２−２からの信号に応じて照明器具の点灯・消灯及び、照度を制御する照明制御部２−４と、後述するアドレス等を記憶する記憶部２−５と、他照明制御装置と通信を行う通信部２−６とから構成される。
【００１０】
ＣＰＵ２−２は以下（１）〜（５）に示す各処理を行う
（１）自己のアドレスと受信信号に含まれるアドレスとの比較演算処理
（２）他の照明制御装置とのデータ通信処理
（３）照明制御部を通じた照明の制御処理
（４）調光テーブルの編集処理
（５）メンテナンススイッチからの入力に応じた調光規則の変更処理
記憶部２−５は、各種情報やプログラムを記憶する。ここで、記憶される内容としては、以下（６）〜（８）のようなものがある。
（６）自己のアドレス
（７）各照明制御装置のアドレスと、それとの比較結果に基づく照度を一組のデータとして保持する調光テーブル
（８）入力部やメンテナンススイッチからの入力や伝送路からの信号、現在のシステムの状態によって動作が決定されるプログラム
照明制御装置の入力部に人体を検知するセンサを用いた場合の運用例を以下ステップ１〜ステップ２の順で説明する。
【００１１】
ステップ１：センサ反応時の動作について以下１-１）〜１-２）の順で、図５、図６を用いて説明する。ここで、照明制御装置１，２，３，４，５の個々の自己アドレスは１−１，１−２，１−３，１−４，１−５である。
１-１）図５に示すように、照明制御装置がセンサによって歩行者を検知すると、当該照明制御装置はアドレス差が０の場合の調光規則に従って、自らが制御する照明器具を調光（図においては、１００％点灯）すると同時に、伝送路１０を通じて他の照明制御装置に自らのアドレスを含む検知信号を送信する。次に、自らのアドレスと接続された照明器具の照度とをセットとして、記憶装置中の調光テーブルに記憶する。
１-２）図６に示すように検知信号を受信した照明制御装置は、信号中のアドレスと自らのアドレスを比較し、その差に応じた照度を計算する。または、アドレス差と照度の対応表｛例えば、アドレス差１（７０％点灯）アドレス差２（３０％点灯）アドレス差＞３（０％点灯）｝として記憶部２−５に記憶しておき、そこから導出してもよい。そして、計算によって得られた照度と、その根拠となった検知信号中に含まれていたアドレスを記憶部２−５の調光テーブルに記憶する。更に、テーブル中に記憶されている照度のうち、最も照度の高い値に自らの照明を設定する。
【００１２】
図９及び図１０には、複数の歩行者がいる場合の動作を示したものである。
ステップ２：センサ反応なしに戻った時の動作ついて以下２-１）〜２-２）の順で、図７、図８を用いて説明する。
２-１）図７に示すように、歩行者がセンサ反応範囲から外れるなどして、センサから反応がなくなったら、当該照明制御装置は伝送路１０を通じて自らのアドレスを含む検知終了信号を送信する。そして調光テーブルから、自らのアドレスを含むデータを削除する。更に、調光テーブル中に他のデータが残っていれば、その中で最も照度の高い値に自らの照明を設定する。
もし調光テーブル中にデータが残っていなければ、消灯するか、予め設定された照度に自らの照明を設定する。
２-２）伝送路から検知終了信号を受信した照明制御装置は、調光テーブルから、検知終了信号中に含まれるアドレスを含むデータを削除する。
そして調光テーブル中に他のデータが残っていれば、その中で最も照度の高い値に自らの照明を設定する。
もし調光テーブル中にデータが残っていなければ、図８に示すように消灯するか、予め設定された照度に自らの照明を設定する。
【００１３】
次に、入力部として人体を検知するセンサ、メンテナンススイッチとして照度センサを用いた場合の、調光規則の変更例を以下パターン１）及びパターン２）で説明する。なお、この例では、全ての照明制御装置に照度センサが用いられている場合を示すが、何れかの照明制御装置がセンサを持ち、調光規則変更通知を他の照明制御装置に通知してもよい。
パターン１）夜間の場合
図１１に示すように周辺が暗く、夜間と判定される照度であった場合には、当該照明制御装置は、安全な歩行に十分なだけの照度を提供するよう予め設定されたモード｛例えば、アドレス差＝０（１００％点灯）アドレス差＝１（７０％点灯）アドレス差＝２（３０％点灯）アドレス差＞３（０％点灯）｝に調光規則を変化させる。
パターン２）昼間の場合
図１２に示すように昼間と判定される照度であった場合には、太陽光を考えて最低限の照度の提供に留めるよう予め設定されたモード｛例えば、アドレス差＝０（８０％点灯）アドレス差＞１（０％点灯）｝に調光規則を変化させる。
【００１４】
これにより、伝送路によって接続された照明制御装置全てが、アドレス値に応じて動作を決定するため、逐一パターンを設定する必要がない。更に、比較結果に応じていかなる調光を行うかのパターンを複数用意し、メンテナンススイッチによっていずれのパターンを用いるかを設定することで、多様な照明環境の実現が比較的容易に行える。
【００１５】
【発明の効果】
以上説明したように、請求項１記載の発明によれば、相対的位置関係としての情報をアドレスに持たせてあることから、少ない情報通信量と簡易な機器構成で位置関係に応じた調光が可能となると言う効果を奏する。
【００１６】
請求項２記載の発明によれば、請求項１記載の発明の効果に加え更に、少ない設定工数で多彩な照明環境を実現することが可能となると言う効果を奏する。
【図面の簡単な説明】
【図１】本発明に係わる照明制御システムの一実施の形態のシステム図である。
【図２】上記照明制御システムの一実施の形態のシステム図である。
【図３】上記照明制御システムの一実施の形態のシステム図である。
【図４】上記照明制御システムの照明制御装置の構成図である。
【図５】上記照明制御システムの歩行者を検知した時の動作を説明する図である。
【図６】上記照明制御システムの歩行者を検知した時の動作を説明する図である。
【図７】上記照明制御システムの歩行者を見失った時の動作を説明する図である。
【図８】上記照明制御システムの歩行者を見失った時の動作を説明する図である。
【図９】上記照明制御システムの複数の歩行者を検知した時の動作を説明する図である。
【図１０】上記照明制御システムの複数の歩行者を検知した時の動作を説明する図である。
【図１１】上記照明制御システムの周囲の明るさによる動作パターンの変更を説明する図である。
【図１２】上記照明制御システムの周囲の明るさによる動作パターンの変更を説明する図である。
【符号の説明】
１〜５  明制御装置
２−１  入力部
２−３  メンテナンススイッチ
２−４  照明制御部
２−５  記憶部
２−６  通信部
６〜９  照明器具
１０    伝送路
【図１】
0003736217.tif 000002
【図２】
0003736217.tif 000003
【図３】
0003736217.tif 000004
【図４】
0003736217.tif 000005
【図５】
0003736217.tif 000006
【図６】
0003736217.tif 000007
【図７】
0003736217.tif 000008
【図８】
0003736217.tif 000009
【図９】
0003736217.tif 000010
【図１０】
0003736217.tif 000011
【図１１】
0003736217.tif 000012
【図１２】
0003736217.tif 000013